(57)【要約】【課題】  セパレータ基端部を容易に連結金具の先端側に取付けることができるようにする。【解決手段】  土留め壁又は連続地中壁等の壁体１００の金属部分１０１に取付けた連結金具１０に、間にセパレータ２０を介して型枠３０を取付けるに際し、金属部分１０１に取付穴１０２を形成する工程と、取付穴１０２に取付けられるタッピング雄ねじ状に連結部１４が基端部に形成され、先端側にセパレータ案内穴１２ａと、そのセパレータ案内穴１２ａの基端側にセパレータ案内穴１２ａと連通した状態でセパレータ取付け用の雌ねじ穴１１ｃとが形成された連結金具１０を用い、セパレータ案内穴１２ａに回転工具を取付けて連結金具１０を回転させ、連結金具１０の連結部１４を上記取付穴１０２に取付ける工程と、上記回転工具を取外す工程と、上記セパレータ案内穴１２ａにより案内され得る状態で雌ねじ穴１１ｃにセパレータ２０の基端側を取付ける工程とを含む。【選択図】      図１
2005256596.tif 000002
【特許請求の範囲】
【請求項１】
土留め壁又は連続地中壁等の壁体の金属部分に取付けた連結金具に、間にセパレータを介して型枠を取付けるコンクリート型枠保持方法であって、
上記セパレータが取付けられる先端側に形成されたセパレータ案内穴と、そのセパレータ案内穴の基端側に該セパレータ案内穴と連通した状態で形成されたセパレータ取付け用の雌ねじ穴とを少なくとも有する連結金具を用い、その連結金具の基端側を、上記金属部分に取付ける連結金具取付工程と、
上記セパレータの少なくとも基端側を含んで形成された雄ねじ部を、セパレータの基端がセパレータ案内穴により案内される状態で上記雌ねじ穴に取付けるセパレータ取付工程とを含むことを特徴とするコンクリート型枠保持方法。
【請求項２】
請求項１に記載のコンクリート型枠保持方法において、前記連結金具が、その基端部を前記金属部分に形成した雌ねじ状の取付穴に取付けるタッピング雄ねじ状の連結部として形成し、かつセパレータ案内穴を回転工具取付穴としても機能するように構成されている場合、前記連結金具取付工程の前に、上記金属部分に上記取付穴を形成する工程を更に含むとともに、前記連結金具取付工程は、セパレータ案内穴に回転工具を取付けて連結金具を回転させて連結金具を上記取付穴に取付けることを特徴とするコンクリート型枠保持方法。
【請求項３】
請求項１に記載のコンクリート型枠保持方法において、前記連結金具取付工程は、前記連結金具の基端部を前記金属部分に溶接により取付けることを特徴とするコンクリート型枠保持方法。
【請求項４】
請求項１乃至３のいずれかに記載のコンクリート型枠保持方法において、前記セパレータ取付工程の後に、前記セパレータの先端側に型枠を取付けることを特徴とするコンクリート型枠保持方法。
【請求項５】
土留め壁又は連続地中壁等の壁体の金属部分に、連結金具及びセパレータを有する型枠取付装置を介して型枠が取付けられるコンクリート型枠保持装置における連結金具であって、
上記セパレータが取付けられる先端側に形成されたセパレータ案内穴と、そのセパレータ案内穴の基端側に該セパレータ案内穴と連通した状態で形成されたセパレータ取付け用の雌ねじ穴とを少なくとも有することを特徴とするコンクリート型枠保持装置における連結金具。
【請求項６】
請求項５に記載のコンクリート型枠保持装置における連結金具において、前記セパレータ案内穴とは反対方向の基端側にタッピング雄ねじ状の連結部が形成され、前記セパレータ案内穴が回転工具取付穴として用いられるもので、前記金属部分に形成した取付穴に上記連結部が螺入により取付けられることを特徴とするコンクリート型枠保持装置における連結金具。
【請求項７】
請求項６に記載のコンクリート型枠保持装置における連結金具において、
前記セパレータ案内穴は、先端側が拡径したテーパー部を有することを特徴とするコンクリート型枠保持装置における連結金具。
【請求項８】
請求項６又は７に記載のコンクリート型枠保持装置における連結金具において、
前記セパレータ案内穴は、突起が外周に形成された回転工具の突起を穴内奥部へ案内するとともに該突起との相互の係合により回転工具間での回転方向の滑り止めを図る凹溝が外周肉部に形成されていることを特徴とするコンクリート型枠保持装置における連結金具。
【請求項９】
請求項５に記載のコンクリート型枠保持装置における連結金具において、前記セパレータ案内穴とは反対方向の基端側が、前記金属部分に溶接により取付けられることを特徴とするコンクリート型枠保持装置における連結金具。
【請求項１０】
請求項５乃至９のいずれかに記載のコンクリート型枠保持装置における連結金具において、
基端側の筒体と、この筒体の先端に固着連結した先端側の筒体とを備え、該基端側の筒体の先端に前記雌ねじ穴が形成され、先端側の筒体に前記セパレータ案内穴が形成されていることを特徴とするコンクリート型枠保持装置における連結金具。
【請求項１１】
請求項５乃至１０のいずれかに記載のコンクリート型枠保持装置における連結金具において、
前記連結部よりも先端側の外周部に、コンクリートのずれを抑制する凸部が形成されていることを特徴とするコンクリート型枠保持装置における連結金具。
【請求項１２】
請求項５乃至１１のいずれかに記載のコンクリート型枠保持装置における連結金具と、該連結金具に取付けられるセパレータとを有する型枠取付装置において、
前記連結金具のセパレータ案内穴とセパレータとの間に円環状の隙間が形成され、その隙間に連結金具とセパレータとの相対的な回転を防止するストッパが取付けられていることを特徴とする型枠取付装置。
【請求項１３】
請求項１２に記載の型枠取付装置において、前記ストッパには、セパレータ案内穴の内奥部に向けて該ストッパを圧入するための被叩き部が設けられていることを特徴とする型枠取付装置。
【請求項１４】
請求項１２または１３に記載の型枠取付装置において、前記ストッパは前記セパレータが挿入されるセパレータ挿入孔を内部に有する円環状に形成されるとともに少なくとも基端側に軸方向に長いスリットが形成され、かつ、上記円環状に形成された肉部の少なくとも基端側が断面楔状になっていることを特徴とする型枠取付装置。
【請求項１５】
請求項１２または１３に記載の型枠取付装置において、前記ストッパは、前記セパレータ案内穴とセパレータの外表面とのそれぞれに部分的に接触するとともに、該セパレータをその径方向に曲げるように形成されていることを特徴とする型枠取付装置。
【請求項１６】
請求項１５に記載の型枠取付装置において、前記ストッパは該セパレータが挿入されるセパレータ挿入孔を有するとともに、そのセパレータ挿入孔の外側の肉部が周方向において肉厚を変化させて、前記隙間寸法よりも大となる厚肉部と小となる薄肉部とを有するように形成されており、このストッパにより上記セパレータがストッパの薄肉部側へ曲げられていることを特徴とする型枠取付装置。
【請求項１７】
請求項１６に記載の型枠取付装置において、前記ストッパは、セパレータ挿入孔を挟んで互いに反対側に薄肉部と厚肉部とが設けられ、厚肉部の外側が、連結金具の基端側になる程薄肉となったテーパー状に形成されていることを特徴とする型枠取付装置。
【請求項１８】
請求項１６または１７に記載の型枠取付装置において、前記ストッパの薄肉部が切欠かれていることを特徴とする型枠取付装置。
【発明の詳細な説明】
【技術分野】
【０００１】
本発明は、土留め壁又は連続地中壁等の壁体に適用されるコンクリート型枠保持方法、並びにコンクリート型枠保持装置における連結金具及び型枠取付装置に関する。
【背景技術】
【０００２】
上述したコンクリート型枠保持装置は、土留め壁又は連続地中壁等の壁体の金属部分に設けた取付穴に、連結金具、セパレータ及び型枠がこの順に取付けられる構成となっている（特許文献１等参照）。
【０００３】
上記連結金具は、地中に打ち込まれるＨ型等の鋼材からなる複数の金属部分と型枠との間での離隔距離の変動を吸収するために用いられ、長さ一定のセパレータとの連結長さを調整するものであり、図１０に示すように連結金具１１０の基端側（右側）には、壁体１００の金属部分１０１に設けた取付穴１０２へ螺入するタッピングねじ１１１が形成され、先端側には、内側に雌ねじ１１２が、外側に、六角ボックススパナが装着係止される六角形状の係止部１１３が形成された構成となっている。なお、雌ねじ１１２には、棒状をしたセパレータ１２０に形成された雄ねじ１２１が螺入される。
【特許文献１】特許第２７８２１７９号公報
【発明の開示】
【発明が解決しようとする課題】
【０００４】
しかしながら、上述した連結金具の先端内側に形成された雌ねじが連結金具の端にまで形成されており、一方、この雌ねじに螺入されるセパレータが約１メートル以上と長尺なために、セパレータ基端部の雄ねじを連結金具の雌ねじに螺入することが難しく、しかもその螺入作業が現場で行う必要があるために、非常に作業性を悪化させる要因となっていた。
【０００５】
本発明は、このような従来技術の課題を解決するためになされたもので、セパレータ基端部を容易に連結金具の先端側に取付けることができるコンクリート型枠保持方法、並びにコンクリート型枠保持装置における連結金具及びその連結金具とセパレータとを有する型枠取付装置を提供することを目的とする。
【課題を解決するための手段】
【０００６】
本発明の請求項１のコンクリート型枠保持方法は、土留め壁又は連続地中壁等の壁体の金属部分に取付けた連結金具に、間にセパレータを介して型枠を取付けるコンクリート型枠保持方法であって、上記セパレータが取付けられる先端側に形成されたセパレータ案内穴と、そのセパレータ案内穴の基端側に該セパレータ案内穴と連通した状態で形成されたセパレータ取付け用の雌ねじ穴とを少なくとも有する連結金具を用い、その連結金具の基端側を、上記金属部分に取付ける連結金具取付工程と、上記セパレータの少なくとも基端側を含んで形成された雄ねじ部を、セパレータの基端がセパレータ案内穴により案内される状態で上記雌ねじ穴に取付けるセパレータ取付工程とを含むことを特徴とする。
【０００７】
本発明の請求項２のコンクリート型枠保持方法は、請求項１に記載のコンクリート型枠保持方法において、前記連結金具が、その基端部を前記金属部分に形成した雌ねじ状の取付穴に取付けるタッピング雄ねじ状の連結部として形成し、かつセパレータ案内穴を回転工具取付穴としても機能するように構成されている場合、前記連結金具取付工程の前に、上記金属部分に上記取付穴を形成する工程を更に含むとともに、前記連結金具取付工程は、セパレータ案内穴に回転工具を取付けて連結金具を回転させて連結金具を上記取付穴に取付けることを特徴とする。
【０００８】
本発明の請求項３のコンクリート型枠保持方法は、請求項１に記載のコンクリート型枠保持方法において、前記連結金具取付工程は、前記連結金具の基端部を前記金属部分に溶接により取付けることを特徴とする。
【０００９】
本発明の請求項４のコンクリート型枠保持方法は、請求項１乃至３のいずれかに記載のコンクリート型枠保持方法において、前記セパレータ取付工程の後に、前記セパレータの先端側に型枠を取付けることを特徴とする。
【００１０】
本発明の請求項５のコンクリート型枠保持装置における連結金具は、土留め壁又は連続地中壁等の壁体の金属部分に、連結金具及びセパレータを有する型枠取付装置を介して型枠が取付けられるコンクリート型枠保持装置における連結金具であって、上記セパレータが取付けられる先端側に形成されたセパレータ案内穴と、そのセパレータ案内穴の基端側に該セパレータ案内穴と連通した状態で形成されたセパレータ取付け用の雌ねじ穴とを少なくとも有することを特徴とする。
【００１１】
本発明の請求項６のコンクリート型枠保持装置における連結金具は、請求項５に記載のコンクリート型枠保持装置における連結金具において、前記セパレータ案内穴とは反対方向の基端側にタッピング雄ねじ状の連結部が形成され、前記セパレータ案内穴が回転工具取付穴として用いられるもので、前記金属部分に形成した取付穴に上記連結部が螺入により取付けられることを特徴とする。
【００１２】
本発明の請求項７のコンクリート型枠保持装置における連結金具は、請求項６に記載のコンクリート型枠保持装置における連結金具において、前記セパレータ案内穴は、先端側が拡径したテーパー部を有することを特徴とする。
【００１３】
本発明の請求項８のコンクリート型枠保持装置における連結金具は、請求項６又は７に記載のコンクリート型枠保持装置における連結金具において、前記セパレータ案内穴は、突起が外周に形成された回転工具の突起を穴内奥部へ案内するとともに該突起との相互の係合により回転工具間での回転方向の滑り止めを図る凹溝が外周肉部に形成されていることを特徴とする。
【００１４】
本発明の請求項９のコンクリート型枠保持装置における連結金具は、請求項５に記載のコンクリート型枠保持装置における連結金具において、前記セパレータ案内穴とは反対方向の基端側が、前記金属部分に溶接により取付けられることを特徴とする。
【００１５】
本発明の請求項１０のコンクリート型枠保持装置における連結金具は、請求項５乃至９のいずれかに記載のコンクリート型枠保持装置における連結金具において、基端側の筒体と、この筒体の先端に固着連結した先端側の筒体とを備え、該基端側の筒体の先端に前記雌ねじ穴が形成され、先端側の筒体に前記セパレータ案内穴が形成されていることを特徴とする。
【００１６】
本発明の請求項１１のコンクリート型枠保持装置における連結金具は、請求項５乃至１０のいずれかに記載のコンクリート型枠保持装置における連結金具において、前記連結部よりも先端側の外周部に、コンクリートのずれを抑制する凸部が形成されていることを特徴とする。
【００１７】
本発明の請求項１２の型枠取付装置は、請求項５乃至１１のいずれかに記載のコンクリート型枠保持装置における連結金具と、該連結金具に取付けられるセパレータとを有する型枠取付装置において、前記連結金具のセパレータ案内穴とセパレータとの間に円環状の隙間が形成され、その隙間に連結金具とセパレータとの相対的な回転を防止するストッパが取付けられていることを特徴とする。
【００１８】
本発明の請求項１３の型枠取付装置は、請求項１２に記載の型枠取付装置において、前記ストッパには、セパレータ案内穴の内奥部に向けて該ストッパを圧入するための被叩き部が設けられていることを特徴とする。
【００１９】
本発明の請求項１４の型枠取付装置は、請求項１２または１３に記載の型枠取付装置において、前記ストッパは前記セパレータが挿入されるセパレータ挿入孔を内部に有する円環状に形成されるとともに少なくとも基端側に軸方向に長いスリットが形成され、かつ、上記円環状に形成された肉部の少なくとも基端側が断面楔状になっていることを特徴とする。
【００２０】
本発明の請求項１５の型枠取付装置は、請求項１２または１３に記載の型枠取付装置において、前記ストッパは、前記セパレータ案内穴とセパレータの外表面とのそれぞれに部分的に接触するとともに、該セパレータをその径方向に曲げるように形成されていることを特徴とする。
【００２１】
本発明の請求項１６の型枠取付装置は、請求項１５に記載の型枠取付装置において、前記ストッパは該セパレータが挿入されるセパレータ挿入孔を有するとともに、そのセパレータ挿入孔の外側の肉部が周方向において肉厚を変化させて、前記隙間寸法よりも大となる厚肉部と小となる薄肉部とを有するように形成されており、このストッパにより上記セパレータがストッパの薄肉部側へ曲げられていることを特徴とする。
【００２２】
本発明の請求項１７の型枠取付装置は、請求項１６に記載の型枠取付装置において、前記ストッパは、セパレータ挿入孔を挟んで互いに反対側に薄肉部と厚肉部とが設けられ、厚肉部の外側が、連結金具の基端側になる程薄肉となったテーパー状に形成されていることを特徴とする。
【００２３】
本発明の請求項１８の型枠取付装置は、請求項１６または１７に記載の型枠取付装置において、前記ストッパの薄肉部が切欠かれていることを特徴とする。
【発明の効果】
【００２４】
請求項１及び５の発明による場合には、連結金具の雌ねじ穴よりも先端側のセパレータ案内穴が、セパレータ基端部の案内手段として機能するため、セパレータ基端部を容易に連結金具の先端側に取付けすることができ、作業性の大幅な向上化が図れる。
【００２５】
また、請求項２及び６の発明による場合には、連結金具の回転工具取付穴としても機能するセパレータ案内穴に回転工具を取付けて連結金具を回転させることで、金属部分に形成した取付穴に連結金具の連結部を取付けることができる。その後、回転工具を取外すと、連結金具にセパレータを取付けることが可能となる。
【００２６】
また、請求項３及び９の発明による場合には、金属部分に連結金具の基端部を突き合わせた状態で溶接を行うことで、連結金具にセパレータを取付けることが可能となる。その溶接としては、溶接棒を用いる溶接法や、突き合わせ部分に大電流を流して得られる抵抗発熱を利用する抵抗溶接等を用いることができる。
【００２７】
また、請求項４の発明による場合には、セパレータの先端側に型枠を取付けると、コンクリート型枠保持装置が完成する。
【００２８】
また、請求項７の発明による場合には、セパレータ案内穴に先端側が拡径されたテーパー部が形成されているので、セパレータ案内穴の内径と雌ねじ穴の内径とが大きく異なっていても、テーパー角度を調整することにより、セパレータ基端部を確実に連結金具の先端側に取付けすることが可能になる。
【００２９】
また、請求項８の発明による場合には、セパレータ案内穴の外周肉部に凹溝が形成されているので、回転工具の突起をその凹溝に入れるようにして回転工具をセパレータ案内穴に挿入していくと、回転工具の突起が凹溝に沿って内奥部へと案内され、かつ回転工具を回転させるときに連結金具と回転工具との間での回転方向の滑り止めが可能となる。
【００３０】
また、請求項１０の発明による場合には、連結金具の途中部分に存在する雌ねじ穴が、連結金具を構成する２つの筒体における基端側のものの端に形成することができ、これにより連結金具自体の製造を容易に行うことが可能になる。
【００３１】
また、請求項１１の発明による場合には、連結部よりも先端側の外周部に凸部が形成されているので、型枠と壁体との間に入れたコンクリートの位置ずれを上記凸部が抑制することとなる。
【００３２】
また、請求項１２の発明による場合には、セパレータ案内穴とセパレータとの間の隙間にストッパが取付けられるので、そのストッパにより連結金具とセパレータとが相対的に回転するのを防止することができる。
【００３３】
また、請求項１３の発明による場合には、ストッパの被叩き部をセパレータ案内穴の内奥部に向けてハンマー等で叩くことで、容易にストッパをセパレータ案内穴とセパレータとの間の隙間に圧入させることが可能になる。
【００３４】
また、請求項１４の発明による場合には、ストッパを圧入させると、ストッパのスリットで分断された基端側がセパレータ案内穴により内側に押されてセパレータを押し付けるので、連結金具とセパレータとの相対的な回転を防止することができる。
【００３５】
また、請求項１５及び１６の発明による場合には、ストッパは、セパレータ案内穴とセパレータの外表面とのそれぞれに部分的に接触し、セパレータがその径方向に曲げられているので、連結金具とセパレータとの相対的な回転をより効果的に防止することができる。
【００３６】
また、請求項１７の発明による場合には、ストッパの厚肉部外側がテーパー状に形成されているので、ストッパのセパレータ案内穴への挿入を容易に行うことができ、しかも厚肉部とは反対側が薄肉部となっているので、セパレータを容易に曲げることが可能となる。
【００３７】
また、請求項１８による場合には、欠損し易い薄肉部を切欠いておくことで、欠損発生を防止することができる。ストッパの材質は特に規定しないが、圧入が可能な金属や硬質樹脂などが用いられ得、上記欠損の虞がある硬質樹脂製のストッパの場合において、薄肉部を切欠くことは特に有効である。
【発明を実施するための最良の形態】
【００３８】
以下に、本発明を具体的に説明する。
【００３９】
図１は、本実施形態に係る連結金具を用いたコンクリート型枠保持装置を示す正面断面図である。
【００４０】
このコンクリート型枠保持装置１は、土留め壁又は連続地中壁等の壁体１００の金属部分１０１に設けた取付穴１０２に、連結金具１０及びセパレータ２０を有する型枠取付装置２が取付けられ、その型枠取付装置２に型枠３０が取付けられる構成となっている。なお、金属部分１０１としては、一般にＨ形鋼が用いられ、長手方向を鉛直にして地中に打ち込まれる。
【００４１】
取付穴１０２は、例えばドリルによる穴あけ加工により形成される。
【００４２】
連結金具１０は、２つの筒体１１、１２が連結された連結金具本体１３を有し、基端側（取付穴１０２側）の筒体１１の基端に、取付穴１０２に取付けられる連結部１４が設けられた構成となっている。
【００４３】
筒体１１は、基端側の内面に雌ねじ１１ａが形成されていて、その雌ねじ１１ａには連結部１４の先端側に設けられた雄ねじ部１４ａが螺入されて筒体１１に取付けられている。連結部１４の基端側は、取付穴１０２に螺入されるタッピング雄ねじ１４ｂが形成され、タッピング雄ねじ１４ｂと雄ねじ部１４ａとの間には、筒体１１とほぼ同外径の鍔部１４ｃが設けられている。
【００４４】
上記筒体１１の基端とは反対の先端側は、少し小径に形成され、その小径部１１ｂの内側にセパレータ取付け用の雌ねじ穴１１ｃが形成されている。
【００４５】
上記筒体１２は、その基端部を筒体１１の小径部１１ｂに入れた状態で溶接等により筒体１１に固着連結されている。筒体１２の先端側には回転工具取付穴としても機能するセパレータ案内穴１２ａが設けられている。つまり、セパレータ案内穴１２ａの基端側には、セパレータ案内穴１２ａと連通した状態でセパレータ取付け用の雌ねじ穴１１ｃが形成されている。上記セパレータ案内穴１２ａは、先端側が拡径されたテーパー状に形成され、図２（ａ）、（ｂ）に示すように肉部には周方向に４つの凹溝１２ｂが軸方向に沿って長く、所定長さで形成されている。なお、図２（ａ）は連結金具本体を示す正面図であり、同（ｂ）はその左側面図である。
【００４６】
上記セパレータ案内穴１２ａには、取付穴１０２に連結金具１０を取付ける際に、図３に示すように回転工具４０が挿入される。回転工具４０は、挿入方向側を小径とするテーパー状に形成されており、外周には４つの突起４１（図３には３つが表れている。）が形成されている。突起４１は、上記凹溝１２ｂに対応する位置に設けられていて、その幅寸法は凹溝１２ｂの溝幅寸法よりも少し小さい。この回転工具４０のセパレータ案内穴１２ａへの挿入は、各突起４１と各凹溝１２ｂとの位置を一致させて回転工具４０を押し込むことで行われる。この押し込みに際し、凹溝１２ｂは、突起４１を穴内奥部へ案内する。また、凹溝１２ｂは、回転工具４０を回転させる際に、突起４１との相互の係合により回転工具４０との間での回転方向の滑り止めに寄与する。
【００４７】
連結金具１０としては、別々に作製した筒体１１と１２とを連結して連結金具本体１３を得、その筒体１１の基端に連結部１４を取付けた状態で用いられる。
【００４８】
セパレータ２０は、図１に示すように所定長さの丸棒状のもので、外周には雄ねじ２１が基端から所定長さＬの範囲で形成されている。先端側には、板状の型枠３０を内側から支持するピーコン２２が取付けられている。また、筒体１２の先端側であってセパレータ２０との間には、円環状の隙間２３が形成されていて、その隙間２３には、ストッパ３１が取付けられている。このストッパ３１とセパレータ２０と連結金具１０とにより、前記型枠３０を取付けるための型枠取付装置２が構成される。
【００４９】
上記ストッパ３１は、図４に示すように断面円環状のもので、内側にはセパレータ２０が挿入されるセパレータ挿入孔３２が設けられ、基端側には軸方向に長いスリット３３が周方向に１又は２以上、図示例では４つ形成されている。また、ストッパ３１の肉部の基端側は、セパレータ案内穴１２ａに応じて外側が基端に近づく程に縮径されたテーパー部３１ａとなっていて、断面楔状に形成されている。一方、先端側には、ストッパ３１を圧入するために叩かれる被叩き部３４が外方に突出する鍔状に設けられている。
【００５０】
このストッパ３１は、セパレータ挿入孔３２にセパレータ２０を挿入した状態となし、その状態で被叩き部３４を例えばハンマー等により叩くことで、前記隙間２３に圧入され、スリット３３で分断された舌片部３５が圧入によりセパレータ案内穴１２ａにより内側に押されて撓みセパレータ２０を押し付ける。よって、ストッパ３１は、セパレータ案内穴１２ａ及びセパレータ２０と強い力で接触することで、連結金具１０とセパレータ２０との相対的な回転を防止する。
【００５１】
次に、本実施形態におけるコンクリート型枠保持方法について説明する。
【００５２】
まず、土留め壁又は連続地中壁等の壁体１００の金属部分１０１に、例えばドリルによる穴あけ加工により取付穴１０２を形成する。
【００５３】
次に、連結金具１０のセパレータ案内穴１２ａに回転工具４０を前述のようにして取付け、連結金具１０における連結部１４のタッピング雄ねじ１４ｂを取付穴１０２に一致するように位置合わせし、その状態を保持して、回転工具４０を所定方向に回転させてタッピング雄ねじ１４ｂを取付穴１０２に螺入し、取付穴１０２に連結金具１０を取付ける。
【００５４】
次に、回転工具４０をセパレータ案内穴１２ａから取外す。
【００５５】
次に、連結金具１０のセパレータ取付け用の雌ねじ穴１１ｃに、環状をしたストッパ３１の中に通したセパレータ２０を取付ける。このとき、雌ねじ穴１１ｃの先端側には、回転工具４０が取外されたセパレータ案内穴１２ａが存在するので、セパレータ２０を押し込んでいくと、セパレータ案内穴１２ａによりセパレータ２０の基端が案内されて雌ねじ穴１１ｃに突き当たって停止する。このとき、本実施形態のようにセパレータ案内穴１２ａを、先端側を拡径したテーパーに形成しておくことで、より確実にセパレータ２０の基端を雌ねじ穴１１ｃに案内することが可能となる。続いて、セパレータ２０を所定方向に回転させて雌ねじ穴１１ｃにセパレータ２０の雄ねじ２１を係合させる。このとき、壁体１００の金属部分１０１は、比較的ルーズに地中に打ち込まれるので、鉛直方向に対して多少傾いた状態で壁体１００に固定され、揃えて配置される型枠３０と各金属部分１０１との離隔距離が一定ではないため、雌ねじ穴１１ｃに係合させる雄ねじ２１の基端からの位置を、型枠３０と各金属部分１０１との離隔距離に合うように調整する。なお、前記所定長さＬは、上記調整を行い得る値に設定される。
【００５６】
次に、セパレータ２０に通したストッパ３１を、連結金具１０とセパレータ２０との隙間２３に入込む（圧入する）。
【００５７】
次に、セパレータ２０の先端側に取付けられたピーコン２２を型枠３０に取付ける。これにより、面が揃った型枠３０が壁体１００に保持されて、コンクリート型枠保持装置が完成する。
【００５８】
したがって、本実施形態による場合には、連結金具１０のセパレータ案内穴１２ａに回転工具４０を取付けて連結金具１０を回転させ、金属部分１０１に形成した取付穴１０２に連結金具１０の連結部１４を取付け、その後、回転工具４０を取外すと、連結金具１０の雌ねじ穴１１ｃよりも先端側のセパレータ案内穴１２ａが、セパレータ２０の案内手段として機能するため、セパレータ２０の基端部を容易に連結金具１０の先端側に取付けすることができ、作業性の大幅な向上化を図ることができる。
【００５９】
また、本実施形態においては、セパレータ案内穴１２ａを、先端側が拡径されたテーパーに形成しているので、セパレータ案内穴１２ａの内径と雌ねじ穴１１ｃの内径とが大きく異なっていても、テーパー角度を調整することにより、セパレータ２０の基端部を確実に連結金具１０の先端側に取付けることが可能になる。但し、一定の内径の回転工具取付穴を用いることを排除するものではない。
【００６０】
また、本実施形態においては、セパレータ案内穴１２ａの外周肉部に凹溝１２ｂが形成されているので、回転工具４０の突起４１をその凹溝１２ｂに入れるようにして回転工具４０をセパレータ案内穴１２ａに挿入していくと、回転工具４０の突起４１が凹溝１２ｂに沿って内奥部へと案内され、かつ回転工具４０を回転させるときに連結金具１０と回転工具４０との間での回転方向の滑り止めが可能となる。また、連結金具本体１３の途中部分に存在する雌ねじ穴１１ｃが、連結金具本体１３を構成する２つの筒体１１、１２における基端側の筒体１１の先端に形成することができ、これにより連結金具１０自体の製造を容易に行うことが可能になる。
【００６１】
更に、本実施形態においては、セパレータ案内穴１２ａとセパレータ２０との間の隙間２３にストッパ３１が取付けられるので、そのストッパ３１により連結金具１０とセパレータ２０とが相対的に回転するのを防止することができる。
【００６２】
図５は、本発明の他の実施形態に係る連結金具を示す正面断面図である。但し、中心線（一点鎖線）の上側は外観図として、中心線の下側は断面図として表している。なお、図１と同一部分には同一番号を付している。
【００６３】
この連結金具１０Ａは、連結金具本体１３を構成する２つの筒体１１、１２のうちの先端側の筒体１２における先端側の外周部に、全周にわたって外側に突出した凸部１５が形成されている。この連結金具１０Ａを使用する場合にも、前同様にしてコンクリート型枠保持装置が組み立てられる。
【００６４】
この連結金具１０Ａを用いる場合には、型枠と壁体との間に入れたコンクリートの位置ずれを上記凸部１５が抑制することとなる。但し、上記凸部１５は、先端側の外周部に全周にわたって設ける必要はなく、部分的に設けるようにしてもよく、また、凸部１５を設ける位置は、連結部よりも先端側の外周部であればよい。
【００６５】
なお、上述した実施形態では連結金具のタッピング雄ねじ状をした連結部が連結金具本体と連結するタイプのものを用いているが、本発明はこれに限らず、連結部が連結金具本体に一体的に形成されているものでもよい。
【００６６】
また、上述した実施形態では壁体の金属部分に取付穴を設け、その取付穴に連結金具の連結部を螺入する形態を説明しているが、本発明はこれに限らず、壁体の金属部分に、連結金具の基端部（タッピング雄ねじ状をした連結部を省略したものの基端部）を突き合わせ、その状態で溶接することで、金属部分に連結金具を取付ける形態にも適用することができる。この場合には、回転工具の代わりに、溶接装置が必要となる。その溶接装置としては、溶接棒を用いた溶接方式のものや、金属部分と連結金具との突き合わせ部分に大電流を流し、それにより得られる抵抗発熱を利用する抵抗溶接等によるものが用いられる。
【００６７】
また、上述した実施形態ではセパレータ案内穴の全域を、先端側が拡径したテーパーに形成しているが、本発明はこれに限らず、セパレータ案内穴の一部、好ましくは先端部に先端側が拡径したテーパー部を有する構成としてもよい。この構成の場合は、テーパー加工が簡単にでき、コストの低廉化が可能となる。
【００６８】
また、上述した実施形態ではセパレータ案内穴の外周肉部に４つの凹溝を設けているが、本発明はこれに限らず、セパレータ案内穴の外周肉部に少なくとも１以上の凹溝を設けても同様に実施することができる。また、その凹溝は、セパレータ案内穴の内外を連通させる必要はなく、セパレータ案内穴の内面側が窪んだ状態であってもよい。この場合には、回転工具の突起の高さは、凹溝の深さに応じた寸法に設定すればよい。
【００６９】
更に、上述した実施形態では、スリットを有する断面円環状のストッパを用いているが、本発明はこの形態のストッパに限らない。例えば、図６に示すストッパ３６や、図７に示すストッパ３７、或いは図８に示すストッパ３８などを用いることもできる。
【００７０】
図６に示すストッパ３６は、内側にセパレータ２０が挿入されるセパレータ挿入孔３６ａを有し、そのセパレータ挿入孔３６ａの外側の肉部が周方向において肉厚を変化させて形成され、セパレータ挿入孔３６ａを挟んで互いに反対側に隙間２３の寸法よりも小さい厚みの薄肉部３６ｂと隙間２３の寸法よりも大きい厚みの厚肉部３６ｃとが設けられ、厚肉部３６ｃの外側には基端側になる程薄肉となるテーパー部３６ｄが形成されている。また、先端側には、圧入用の被叩き部３６ｅが形成されている。
【００７１】
このストッパ３６による場合には、図９（ａ）に示すように、セパレータ挿入孔３６ａにセパレータ２０を挿入し、図９（ｂ）に示すように、被叩き部３６ｅを叩いてストッパ３６を隙間２３に圧入すると、厚肉部３６ｃがセパレータ案内穴１２ａにより押され、セパレータ２０が薄肉部３６ｂ側の径方向に曲がる。これにより、ストッパ３６の厚肉部３６ｃと連結金具１０のセパレータ案内穴１２ａとが強い力で接触し、かつセパレータ挿入孔３６ａの厚肉部３６ｃ側とセパレータ２０とが強い力で接触する。このようにストッパ３６が連結金具１０とセパレータ２０とに強い力で接触するため、連結金具１０とセパレータ２０が相対的に回転することをより効果的に防止することができる。
【００７２】
図７に示すストッパ３７は、ストッパ３６と同様に、セパレータ挿入孔３７ａと薄肉部３７ｂと厚肉部３７ｃとテーパー部３７ｄと被叩き部３７ｅとが形成されているものの、薄肉部３７ｂには切欠３７ｆが設けられている。
【００７３】
このストッパ３７による場合にも、ストッパ３６と同一の効果が得られることは勿論であるが、他の効果として、欠損し易い薄肉部３７ｂを省略することができる。そのため、ストッパ３７を硬質の樹脂、例えばポリカーボネートなどで作製しても、欠損することを防止することが可能となる。なお、切欠３７ｆは、薄肉部３７ｂの欠損し易い部分だけでなく、その欠損し易い部分よりも大きい領域に対して形成してもよい。
【００７４】
図８に示すストッパ３８は、円環状の隙間２３を径方向に切った断面がほぼ半円の半割り状に形成されたもので、セパレータ挿入溝３８ａと厚肉部３８ｃとテーパー部３８ｄと被叩き部３８ｅとを有し、薄肉部が省略されている。
【００７５】
このストッパ３８による場合には、ストッパ３６と同一の効果が得られることに加え、セパレータ２０に対してその径方向（矢印方向）から、つまり横方向からストッパ３８を取付けでき、取付け性に優れるという効果がある。
【図面の簡単な説明】
【００７６】
【図１】本発明の一実施形態に係る連結金具を用いたコンクリート型枠保持装置を示す正面断面図である。
【図２】（ａ）は連結金具本体を示す正面図であり、（ｂ）はその左側面図である。
【図３】連結金具本体と回転工具とを示す正面図である。
【図４】図１のコンクリート型枠保持装置に備わったストッパを示す斜視図である。
【図５】本発明の他の実施形態に係る連結金具を示す正面断面図である。
【図６】他のストッパ例を示す斜視図である。
【図７】更に他のストッパ例を示す斜視図である。
【図８】更に他のストッパ例を示す斜視図である。
【図９】図６のストッパの取付け前後を示す図で、（ａ）は取付け前の状態で（ｂ）は取付け後の状態である。
【図１０】特許文献１のコンクリート型枠保持装置を示す正面断面図である。
【符号の説明】
【００７７】
１    コンクリート型枠保持装置
２    型枠取付装置
１０、１０Ａ    連結金具
１１ｃ    雌ねじ穴
１２ａ    セパレータ案内穴
１２ｂ    凹溝
１４    連結部
１５    凸部
２０    セパレータ
２３    隙間
３０    型枠
３１、３６、３７、３８    ストッパ
４０    回転工具
４１    突起
１００    壁体
１０１    金属部分
１０２    取付穴
【図１】
2005256596.tif 000003
【図２】
2005256596.tif 000004
【図３】
2005256596.tif 000005
【図４】
2005256596.tif 000006
【図５】
2005256596.tif 000007
【図６】
2005256596.tif 000008
【図７】
2005256596.tif 000009
【図８】
2005256596.tif 000010
【図９】
2005256596.tif 000011
【図１０】
2005256596.tif 000012